(57)【要約】      （修正有）【課題】使用者が赤ちゃんを前に抱っこする時、使用する抱っこ紐をその種類に関係なくカバーし、赤ちゃんを外部の風から安全に保護する抱っこ紐用風除けカバーを提供する。【解決手段】風除けカバー１００はカバー部２００及び一対の連結部３００を含む。カバー部２００は使用者１０が赤ちゃん３０を前に抱っこする時使用する抱っこ紐２０の前面を全体的にカバーし、赤ちゃん３０を外部の風から保護する。連結部３００はカバー部２００の両側上段各々から連結され、使用者１０の肩を覆いながら使用者１０の背中で中心部を基準に「Ｘ」形態にクロスされ、各々使用者１０の反対側のわきの位置でカバー部２００に連結される。【選択図】図１
0003230688.tif 000002
【実用新案登録請求の範囲】
【請求項１】
使用者が赤ちゃんを前に抱っこする時使用する抱っこ紐の前面を全体的にカバーし、上記赤ちゃんを外部の風から保護するカバー部；及び上記カバー部の両側上段各々から連結され、上記使用者の肩を覆いながら上記使用者の背中で中心部基準に「Ｘ」字形態でクロスされ、各々上記使用者の反対側のわきの位置で上記カバー部に連結される一対の連結部を含む抱っこ紐用風除けカバー。
【請求項２】
第１項において、上記連結部各々は上記使用者のわきと隣接した部位に長さ調節のための長さ調節部を含むことを特徴にする抱っこ紐用風除けカバー。
【請求項３】
第１項において、上記連結部各々は上記使用者の肩に支持する部位に幅調のための幅調節部を含むことを特徴とする抱っこ紐用風除けカバ一。
【請求項４】
第３項において、上記幅調節部は幅方向に折り畳み可能なシワ構造を持つことを特徴とする抱っこ紐用風除けカバー。
【請求項５】
第１項において、上記カバー部は下部に上記抱っこ紐が受容される受容空間をもつことを特徴とする抱っこ紐用風除けカバー。
【考案の詳細な説明】
【技術分野】
【０００１】  本考案は風除けカバーに関するもので、詳細には使用者が抱っこ紐を使用し、赤ちゃんを抱っこした状態で移動する時、これを全体的に覆い、外部の風から赤ちゃんを安全に守ることができる抱っこ紐用風除けカバーに関するものである。
【背景技術】
【０００２】  赤ちゃんは実質的に歩行が不可能であり、移動する場合は使用者が安全に抱っこして移動することになるが、そのまま抱っこした状態で移動する場合、長時間の移動は困難なので一般的に使用者は抱っこした赤ちゃんを安全に支えてくれる抱っこ紐を使用している。このような抱っこ紐は安全はもちろん、利便性まで提供することになり、通常使用者が赤ちゃんを前に抱っこした状態で赤ちゃんの背中やお尻を使用者の肩と腰に連結ベルトを付け、支えてくれる構造を持っている。これについては日本公開特許公報２０１６−１６１７１号（発明の名称；ベビーキャリア）に一部類似した技術が掲示されている。
一方、赤ちゃんはまだ免疫力が成人に比べ、とても未熟なため、外部の風により簡単に風邪のような疾病にかかることがあり、使用者は抱っこ紐を通して赤ちゃんを抱っこした状態で赤ちゃんを外部の冷気から保護するために雨風除けカバーをさらに被せて使用している。このような風除けカバーは通常上記のように風から保護する防風効果以外に赤ちゃんを暖かくするための保温効果及び雨から保護するための防水効果を期待する材質を含んでおり、上記抱っこ紐の両側肩紐の間を貫通させ、直接連結する肩連結部を通して固定して使用している。この時、上記風除けカバーは安定した固定のため、使用者の背中で二重に連結する連結部を持ち、この場合、使用者は上記背中の連結部に簡単に手が届かず、連結が不便である。また最近では、さらに便利で安全に赤ちゃんを抱っこするため、幅の広い布で使用者の肩と腕部分を含む広い領域と赤ちゃんを一緒に巻いて結び、固定するスリング型抱っこ紐またはラップ型抱っこ紐が広く使用されている。
しかし、上記のスリング型抱っこ紐またはラップ型抱っこ紐の場合、上記のように使用者の肩と腕部分を含む広い領域を覆っていることにより、上記肩の連結部の直接的な連結が不可能となり、上記風除けカバーの使用が実質的に不可能となる問題点がある。
【先行技術文献】
【特許文献】
【０００３】
【特許文献１】日本公開特許公報第２０１６−１６１７１号（発明の名称；ベビーキャリア）
【考案の概要】
【考案が解決しようとする課題】
【０００４】  しかしながら、既存のよだれパッドは赤ちゃんの首や背中に使用者が装着してあげる方式で、直接このような形で使用する場合、首や背中で自ら着脱することは難しく、上記抱っこ紐の両肩ベルトに連結するように使用されているので、実質的に使用者の胸に密着せず、使用者が移動する過程でその位置がずれてしまったり、上記抱っこ紐と一緒に動いて折れてしまい、赤ちゃんに深刻な不便さを与えてしまうと考えられる。また、最近の上記抱っこ紐の軽量化により、スリング型抱っこ紐が広く使用されている。これにより、上記スリング型抱っこ紐は幅広いファブリック生地を使用者の肩に広く広げ、赤ちゃんの体重を分散させる構造を持っているため、上記使用者の肩を支えるベルトがないことから既存のよだれパッドを実質使用することが難しいという問題点が存在する。本考案の目的は使用者が赤ちゃんを前に抱っこする時、使用する抱っこ紐をその種類に関係なくカバーし、上記赤ちゃんを外部の風から安全に保護することができる風除けカバーを提供することにある。
【課題を解決するための手段】
【０００５】  本考案の一目的を達成するために一特徴による風除けカバーはカバー部及び一対の連結部を含む。上記カバー部は使用者が赤ちゃんを前に抱っこする時使用する抱っこ紐の全面を全体的に覆い、上記赤ちゃんを外部の風から保護する。上記連結部は上記カバー部の両側上段の各々より連結され、上記使用者の肩を覆い、上記使用者の背中で中心部を基準に「Ｘ」字形態にクロスされ、各々上記使用者の反対側のわきの位置で上記カバー部を連結する。一実施例による上記連結部を各々は上記使用者のわきとそれに近い部位に長さ調節をするための長さ調節部を含むことができる。一実施例による上記連結部の各々は上記使用者の肩に支えられる部位に幅調節のための幅調節部を含むことができる。一実施例による上記幅調節部は幅の方向に折り畳み可能なシワ構造を持つことができる。一実施例による上記カバー部は下部に上記抱っこ紐が入る受容空間を持つことができる。
【考案の効果】
【０００６】  上記の本考案の風除けカバーの実施例によると、使用者が抱っこ紐を利用して抱っこした赤ちゃんが外部の風から安全に守られるようにするために、上記赤ちゃんを全体的にカバーする上記風除けカバーのカバー部を上記カバー部の両側上段の各々から連結され、上記使用者の肩を包みながら上記使用者の背中で「Ｘ」字形態でクロスさせ、各々上記使用者の反対側の脇の位置で上記カバー部に再度連結する一対の連結部を通して上記使用者が直接、簡単に装着できるようガイドすることで、上記風除けカバーを上記抱っこ紐の種類に関係なく、全てにおいて適用し、使用することができる。
【図面の簡単な説明】
【０００７】
【図１】図１は本考案の一実施例による風除けカバーを装着した使用者を横から見た図面である。
【図２】図２は図１に図示された風除けカバーの後ろ側を表した図面である。
【図３】図３は図１に図示された風除けカバーの前側を表した図面である。
【図４】図４は図３に図示された風除けカバーで連結部の長さ調節部から分離された構造を表した図面である。
【図５】図５は図４に図示された長さ調節部で結合された構造を表した図面である。
【考案を実施するための形態】
【０００８】  以下、添付した図面を参照し、本考案の実施例による抱っこ紐用風除けカバーに対し、詳細に説明する。本考案は多様な変更を加えることができ、色々な形態を持つことができ、特定の実施例を図面に例示し、本文に詳細に説明しようとする。しかし、これは本考案を特定の掲示形態に対し限定しようとするものではなく、本考案の思想及び技術に含まれるすべての変更、均等物更に代替物を含むものと理解されなければならない。各図面を説明しながら類似した参照符号を類似した構成要素に対し使用した。添付した図面では、構造物の値は本考案の明確性を示すため実際より拡大して図示したものである。
【０００９】第１、第２などの用語は多様な構成要素を説明するのに使用するが、上記構成要素は上記用語により限定されてはならない。上記用語は一つの構成要素を別の構成要素から区別する目的でのみ使用される。例えば、本考案の権利範囲を外れずに、第１構成要素は第２構成要素として名づけることができ、同じように第２構成要素も第１構成要素として名づけることができる。
【００１０】  本出願で使用された用語はただ特定の実施例を説明するために使用したもので、本考案を限定する意図はない。単数の表現は文脈上、明確に異なる意味でない限り、複数の表現を含むものとする。本出願において「含む」または「持つ」などの用語は明細書上に記載された特徴、数字、段階、動作、構成要素、部分品またはこれらを組み合わせたものが存在することを示すものであり、一つまたはそれ以上の異なる特徴や数字、段階、動作、構成要素、部分品またはこれらを組み合わせたものの存在または付加可能性を予め排除しないことを理解しなければならない。一方、異なって定義されない以上、技術的や科学的な用語を含め、ここで使用されるすべての用語は本考案が属する技術分野で通常の知識を持つ者によって一般的に理解されるものと同じ意味を持っている。一般的に使用される辞書に定義されているものと同じ用語は関連技術の文脈上、持つ意味と一致する意味を持つものと解釈されなければならず、本出願で明確に定義されない以上、理想的や過度に形式的な意味として解釈されない。
【００１１】  図１は本考案の一実施例による風除けカバーを着用した使用者を横から見た図面であり、図２は図１に図示された風除けカバーの後ろ側を表した図面で、図３は図１に図示された風除けカバーの前側を表した図面である。
図１もしくは図３を参照すると、本考案の一実施例による風除けカバー（１００）は使用者（１０）が抱っこ紐（２０）を通じて抱っこした赤ちゃん（３０）を外部の風から保護するために上記抱っこ紐（２０）を全体的にカバーする。これに、上記風除けカバー（１００）は上記外部の風から上記赤ちゃん（３０）を保護する防風効果以外に上記赤ちゃん（３０）を保護する防風効果以外に上記赤ちゃん（３０）を暖かくしてくれる保温効果及び雨から保護してくれる防水効果を提供することができ、その機能を遂行するための材質を含む。このような風除けカバー（１００）はカバー部（２００）及び一対の連結部（３０
【００１２】  上記カバー部（２００）は上記抱っこ紐（２０）の全面を全体的に実際にカバーし、上記赤ちゃん（３０）を上記外部の風から直接保護する。このために、上記カバー部（２００）は上記抱っこ紐（２０）を全体的に安全にカバーすることができるよう下部に上記抱っこ紐（２０）が入る受容空間（２１０）を含むことができる。
【００１３】  上記連結部（３００）は上記カバー部（２００）の両側上段の各々から連結され、上記使用者（１０）の肩を包みながら上記使用者（１０）の背中で中心部（３１０）を基準に「Ｘ」字形態にクロスする。このような連結部（３００）各々は上記中心部（３１０）を基準に上記使用者（１０）の反対側脇の位置で上記カバー部（２００）に連結する。
本実施例では上記連結部（３００）が上記中心部（３１０）を基準にクロスされる構造だと説明したが、上記中心部（３１０）を基準に上記使用者（１０）の両わき各々と上記使用者（１０）のわきを各々に延長された構造として同一に説明することができる。これに、本実施例では説明の便宜のため、上記連結部（３００）を上記中心部（３１０）を基準に上記使用者（１０）肩各々で延長された部位を第１連結部（３２０）及び上記中心部（３１０）を基準に上記使用者（１０）の肩各々で延長された部位を第１連結部（３２０）及び上記中心部（３１０）を基準に上記わきを各々から延長した部位を第２連結部（３３０）として区分して説明することとする。
【００１４】  上記のような構造により、上記使用者（１０）は上記第１連結部（３２０）の愛大に頭を入れた後、続いて上記第１連結部（３２０）各々と上記第２連結部（３３０）各々の間で両腕を入れる動作で本考案の背景となる技術で説明した既存の風除けカバーで言及した別途の装着動作なく簡単に上記風除けカバー（１００）を装着することができる。
【００１５】  特に、上記既存の風除けカバーでは上記使用者（１０）の背中側での動作が極めて難しく、一部では不可能な動作を排除することで、さらに便利にカ簡単に装着することができる。このように上記使用者（１０）が上記抱っこ紐（２０）を利用し、抱っこした上記赤ちゃん（３０）が外部の風から安全に保護されるようにするために、上記赤ちゃん（３０）を全体的にカバーする上記カバー部（２００）を上記カバー部（２００）の両側上段各々から連結され、上記使用者（１０）の肩を覆いながら上記使用者（１０）の背中で「Ｘ」字形態でクロスさせ、各々上記使用者（１０）の反対側のわきの位置で上記カバー部（２００）に再度連結する一対の上記連結部（３００を通して、上記使用者（１０）が直接簡単に着用できるよう上記の説明のようにガイドすることで、上記風除けカバー（１００）を上記抱っこ紐（２０）の種類、例えば肩紐がある肩紐型の種類でも肩部分を広く覆うスリング型まてたはラップ型の種類でも関係なく、全て使用することができる。
【００１６】  この時、上記風除けカバー（１００）を上記抱っこ紐（２０）の種類の中で肩紐型に適用し使用する場合には上記既存の風除けカバーと同じ上記抱っこ紐（２０）の両肩紐の間を貫通させ、上記赤ちゃん（３０）の動きを邪魔する恐れがある肩の連結部がないことで、上記赤ちゃん（３０）にさらに利便性を提供することができる。
【００１７】  以下、上記連結部（３００）に対し、図４及び図５を追加で参照し、より詳細に説明することとする。
図４は図３に図示された風除けカバーで連結部の長さ調節から分離された構造を表した図面であり、図５は図４に図示された長さ調節部で結合した構造を表した図面である。図４及び図５を追加で参照すると、上記連結部（３００）各々は上記使用者（１０）のわきとそれに近い部位、具体的には上記第２連結部（３３０）各々に長さ調節のための長さ調節部（３４０）をさらに含むことができる。
この時、上記第２連結部（３３０）を通常使用される一定の幅を持つ紐構造で構成した状態で、上記長さ調節部（３４０）は上記第２連結部（３００）の長さ調節を簡単にするために、逆方向のストップ方式を持つバックル構造を持つことができる。これに、上記使用者（１０）は上記長さ調節部（３４０）のバックル構造を簡単に操作し、上記長さ調節部（３４０）を最大限長く伸ばした状態で上記風除けカバー（１００）を装着した後、両手で上記長さ調節部（３４０）のバックル構造で露出した端部を引き、その身長と体型に合わせることで上記カバー部（２００）が上記抱っこ紐（２０）に安定し密着するよう簡単に調節することができる。
【００１８】  また、上記連結部（３００）の第２連結部（３３０）は上記長さ調節部（３４０）からフック方式を通じて、連結及び分離されるフック部（３６０）を含むことができる。具体的に、上記長さ調節部（３４０）で上記第２連結部（３３０）の端部をフック連結が可能な構造で構成した状態で、上記フック部（３６０）が上記第２連結部（３３０）の端部にフックで連結する構造を持つことができる。これなら上記使用者（１０）は上記風除けカバー（１００）を着用する前に上記フック部（３６０）を通じて上記第２連結部（３００）を分離して着用することができることにより、これをさらに手軽に着用できる。上記連結部（３００）各々は上記使用者（１０）の方に支持する部位、具体的に上記第１連結部（３２０）各々に幅調節のための幅調節部（３５０）をさらに含むことができる。具体的に、上記幅調節部（３５０）は幅方向に折り畳みが可能で簡単にその幅を調節することができるシワ構造を持つことができる。これに、上記幅調節部（３５０）を通じて上記第１連結部（３２０）各々の幅を広く調節する場合、上記カバー部（２００）が上記抱っこ紐（２０）を上記受容空間（２１０）を通して下部で受容していることにより上記カバー部（２００）と連結した上記連結部（３００）の第１連結部（３２０）各々で伝達される軽くない上記赤ちゃん（３０）の重さを分散させ、長時間でも楽さを提供することができる。
【００１９】  上記では本考案の正しい実施例を参照し説明したが、該当技術分野の熟練した当業者は下記の特許申請の範囲に記載された本考案の思想及び領域から出ない範囲内で本考案を多様に修正及び変更させることを理解することができるだろう。
【符号の説明】
【００２０】  １０：使用者          ２０：抱っこ紐
３０：赤ちゃん      １００：風除けカバー
２００：カバー部      ２１０：受容空間
３００：連結部        ３１０：中心部
３２０：第１連結部    ３３０：第２連結部
３４０：長さ調節部    ３５０：幅調節部
３６０：フック部
【図１】
0003230688.tif 000003
【図２】
0003230688.tif 000004
【図３】
0003230688.tif 000005
【図４】
0003230688.tif 000006
【図５】
0003230688.tif 000007